(57)【要約】【課題】  エレベータのガイドレール間距離が異なる場合においても共通の部品を使用して設置することができ、さらに部品の軽量化及び小型化を図ることにより輸送や保管を容易にすることができるエレベータ緩衝器の支持装置を得る。【解決手段】  エレベータ昇降路内に互いに対向するように設置された一対のガイドレールのそれぞれの下部に設けられ、ガイドレール間距離に応じた間隔寸法を、伸縮自在でかつ取外し可能な連結手段により決定した上で昇降路ピット底面に固定されるガイドレール固定部と、このそれぞれのガイドレール固定部に設けられ、ガイドレール固定部をガイドレールに固定する固定具とを備える。【選択図】      図１
2005112488.tif 000002
【特許請求の範囲】
【請求項１】
エレベータ昇降路内に互いに対向するように設置された一対のガイドレールのそれぞれの下部に設けられ、前記ガイドレール間距離に応じた間隔寸法を、伸縮自在でかつ取外し可能な連結手段により決定した上で昇降路ピット底面に固定されるガイドレール固定部と、このそれぞれのガイドレール固定部に設けられ、前記ガイドレール固定部を前記ガイドレールに固定する固定具とを備えたことを特徴とするエレベータ緩衝器の支持装置。
【請求項２】
エレベータ昇降路内に互いに対向するように設置された一対のガイドレールのそれぞれの下部に設置されたガイドレール固定部を昇降路ピット底面に固定する際に、前記ガイドレール間距離に応じた間隔寸法を決定するために前記ガイドレール固定部に設けられる、伸縮自在でかつ取外し可能なことを特徴とするエレベータ緩衝器の支持装置用連結手段。
【請求項３】
請求項２において、複数の固定穴を有することによって、前記ガイドレール固定部間距離を調節可能にしたことを特徴とするエレベータ緩衝器の支持装置用連結手段。
【請求項４】
請求項２において、長穴及び位置決め手段を有することによって、前記ガイドレール固定部間距離を調節可能にしたことを特徴とするエレベータ緩衝器の支持装置用連結手段。
【請求項５】
前記ガイドレール固定部を昇降路ピット底面に固定する際に前記ガイドレール固定部にそれぞれの一端部が設けられる２つの端部繋ぎ材と、この２つの端部繋ぎ材のそれぞれの他端部に設けられ、前記２つの端部繋ぎ材を連結する中央部繋ぎ材とを備えたことを特徴とする請求項２〜請求項４の何れかに記載のエレベータ緩衝器の支持装置用連結手段。
【請求項６】
前記端部繋ぎ材及び前記中央部繋ぎ材は、断面がＬ字状を呈することを特徴とする請求項５に記載のエレベータ緩衝器の支持装置用連結手段。
【請求項７】
エレベータ昇降路内に互いに対向するように設置された一対のガイドレールのそれぞれの下部に設けられたガイドレール固定部と、このガイドレール固定部間に渡って設けられた伸縮自在な連結手段とを用いてガイドレール及び緩衝器をエレベータ昇降路のピットに設置する支持装置設置工程と、前記支持装置設置工程後に、前記ガイドレール固定部間に渡って設けられた前記連結手段を取り外す連結手段取外工程と備えたことを特徴とするエレベータ緩衝器の支持装置の設置方法。
【発明の詳細な説明】
【技術分野】
【０００１】
この発明は、エレベータ昇降路のピット内に設置されるかご及び釣合い重り用緩衝器の支持装置に関するものである。
【背景技術】
【０００２】
エレベータ昇降路のピット内に設置される従来のエレベータ緩衝器の支持装置には、両端部及び中央部が少なくとも４本のアンカーボルトによってエレベータ昇降路のピット底面に固定される主梁と、この主梁の中央部に鉛直に固着される緩衝器と、主梁の両端に固着されるレール取付板とを備え、このレール取付板がボルト及びナットによってガイドレールの下端に固定されるものがある（例えば、特許文献１参照）。
【０００３】
【特許文献１】特開昭６２−２４４８８０号公報（図５〜図６）
【発明の開示】
【発明が解決しようとする課題】
【０００４】
特許文献１記載のエレベータ緩衝器の支持装置は、エレベータ昇降路のピット底面に主梁が設けられ、この主梁に緩衝器が、また主梁に溶接されたレール取付板にガイドレールが固定されている。しかし、ガイドレール間の距離はエレベータのかごの寸法（釣合い重り側のエレベータ緩衝器の支持装置においては、釣合い重りの寸法）によって決定され、さらに主梁とレール取付板とは溶接によって固定されているため、ガイドレール間の距離に応じて主梁の長さの異なる支持装置が必要となっていた。このため、支持装置の種類が多くなると伴に部品を共通化することができないため、コストが高くなるという問題が生じていた。また、主梁はガイドレール間に渡って設けられるためにかなり大きなものとなり、輸送や保管、据付作業に際しても不便であった。
【０００５】
この発明は、上述のような課題を解決するためになされたもので、エレベータのガイドレール間距離が異なる場合においても共通の部品を使用して設置することができ、さらに部品の軽量化及び小型化を図ることにより輸送や保管を容易にすることができるエレベータ緩衝器の支持装置を提供することである。
【課題を解決するための手段】
【０００６】
この発明に係るエレベータ緩衝器の支持装置は、エレベータ昇降路内に互いに対向するように設置された一対のガイドレールのそれぞれの下部に設けられ、ガイドレール間距離に応じた間隔寸法を、伸縮自在でかつ取外し可能な連結手段により決定した上で昇降路ピット底面に固定されるガイドレール固定部と、このそれぞれのガイドレール固定部に設けられ、ガイドレール固定部をガイドレールに固定する固定具とを備えたものである。
【発明の効果】
【０００７】
この発明は、以上説明したように、エレベータ昇降路内に互いに対向するように設置された一対のガイドレールのそれぞれの下部に設けられ、ガイドレール間距離に応じた間隔寸法を、伸縮自在でかつ取外し可能な連結手段により決定した上で昇降路ピット底面に固定されるガイドレール固定部と、このそれぞれのガイドレール固定部に設けられ、ガイドレール固定部をガイドレールに固定する固定具とを備える構成としたことで、エレベータのガイドレール間距離が異なる場合においても共通の部品を使用して設置することができ、さらに部品の軽量化及び小型化を図ることにより輸送や保管を容易にすることができる。
【発明を実施するための最良の形態】
【０００８】
実施の形態１．
図１はこの発明の実施の形態１におけるエレベータ緩衝器の支持装置の全体斜視図、図２はこの発明の実施の形態１における図１の要部詳細図である。図において、コ字状を呈する固定台６はその開口部が下方を向くように配置され、この固定台６の対向する側面の外側下部に、上面６ａに対して略平行となるようにプレート４の一端部がそれぞれ溶接固定されている。また、プレート４が固定されている側面と直交して、且つ解放部を有する一側面には、固定台６の上面６ａに対して略垂直のガイドレール取付面３ａを有する取付板３がこの解放部を塞ぐように溶接固定されており、これら固定台６、プレート４及び取付板３によってガイドレール固定部１が構成されている。このガイドレール固定部１は、エレベータ昇降路内に互いに対向するように設置された一対のガイドレール２のそれぞれの下方に配置され、昇降路ピット底面に設けられたアンカーボルト９ｂによって固定されている。また、ガイドレール２は、背面がガイドレール取付面３ａに対向するようにしてガイドレール固定部１の上面６ａに載置されており、ガイドレール取付面３ａに設けられた固定具１３でそのフランジ部が狭持されることによって、昇降路ピットに固定されている。また、プレート４が溶接固定されている固定台６の両側面には、断面がＬ字状を呈する端部繋ぎ材７ｂの一端部がボルト及びナットによってそれぞれ固定されており、この各端部繋ぎ材７ｂの他端部には複数の固定穴１０ｂが等間隔に設けられている。端部繋ぎ材７ｂと同じく断面がＬ字状を呈する中央部繋ぎ材７ａは、その両端部に複数の固定穴１０ａが等間隔に設けられており、この固定穴１０ａが設けられた両端部がボルト及びナットにより端部繋ぎ材７ｂにそれぞれ固定されることによって、ガイドレール２の下方に設けられた２つのガイドレール固定部１が連結されている。ここで、２つのガイドレール固定部１を連結する連結手段７は、中央部繋ぎ材７ａと２つの端部繋ぎ材７ｂとから構成されている。また、２つのガイドレール固定部１と２つの連結手段７とによって囲まれた昇降路ピット底面の中央部に、緩衝器５がアンカーボルト９ａによって固定されている。
【０００９】
この発明の実施の形態１によれば、ガイドレール固定部１は中央部繋ぎ材７ａ及び２つの端部繋ぎ材７ｂから構成される連結手段７によって連結されているため、緩衝器５及びガイドレール２を正確な位置に、容易に設置することができる。また、中央部繋ぎ材７ａ及び端部繋ぎ材７ｂからなる連結手段７はガイドレール固定部１から容易に取り外すことができ、さらに従来の主梁と比較してかなり軽量及び小型なものを使用することができるため、輸送や保管に際し作業効率を大幅に向上させることができる。また支持装置の設置作業に関しては、緩衝器５及びガイドレール固定部１がアンカーボルト９ａ及び９ｂによって昇降路ピット底面にそれぞれ固定されているため、連結手段７をそれぞれのガイドレール固定部１に連結した状態でガイドレール２及び緩衝器５を昇降路ピットに設置する支持装置設置工程後には、連結手段７をガイドレール固定部１に連結させておく必要性はなく、この連結手段７をガイドレール固定部１から取り外す連結手段取外工程を支持装置設置工程後に行うことによって、その後の保守時等で作業員が連結手段７に躓くといったことがなくなる。このようにして支持装置設置後に取り外した連結手段７は、他の支持装置を設置する際に再使用することが可能なため、資源活用の面からも望ましい。また、中央部繋ぎ材７ａ及び端部繋ぎ材７ｂに複数の固定穴１０ａ及び１０ｂが設けられているため、連結手段７の長さを自由に調節することが可能であり、数種類のガイドレール間距離に対応することができる。このため、ガイドレール固定部１はガイドレール間距離に関係なく共通の部品を使用することができ、コスト削減を図ることが可能である。
【００１０】
なお、実施の形態１では、連結手段７の端部繋ぎ材７ｂの反固定部６側端部及び中央部繋ぎ材７ａの両端部全てに複数の固定穴１０ａ及び１０ｂが設けられているが、これらの端部のうち少なくとも何れかの端部に複数の固定穴１０ａ又は１０ｂが備えられていれば連結手段７の長さを調節することが可能であるため、数種類のガイドレール間距離に対応することは可能である。
【００１１】
また、実施の形態１では、緩衝器５はアンカーボルト９ａによって昇降路ピット底面に固定されているが、緩衝器５の鉛直度調整を容易にするため、緩衝器５と昇降路ピット底面との間に調整用のプレートを介し、緩衝器５をそのプレートに固定する構成としても同様の効果を得ることができる。
【００１２】
実施の形態２．
図３は、この発明の実施の形態２における図１の要部詳細図である。図において、固定台６の対向する側面にそれぞれ一端部を固定された端部繋ぎ材８ｂには、その上部に位置決め手段からなる目盛１１が設けられ、さらに他端部には長穴１２ｂが設けられている。また、中央部繋ぎ材８ａには両端部に長穴１２ａが設けられ、その両端部がボルト及びナットにより端部繋ぎ材８ｂの他端部にそれぞれ固定されることによって、２つのガイドレール固定部１が連結されている。ここで、２つのガイドレール固定部１を連結する連結手段８は、中央部繋ぎ材８ａと２つの端部繋ぎ材８ｂとから構成されている。その他は、実施の形態１と同様の構成となっている。
【００１３】
この発明の実施の形態２によれば、固定台６の対向する側面にそれぞれ一端部を固定された端部繋ぎ材８ｂの上部には目盛１１が設けられているため、中央部繋ぎ材８ａをガイドレール２の中央部に正確に設置することができる。また、端部繋ぎ材８ｂの反固定部６側端部及び中央部繋ぎ材８ａの両端部に長穴１２ｂ及び１２ａがそれぞれ設けられているため、ガイドレール２間の距離が特殊な場合でも、そのガイドレール２間の距離に合せて容易に中央部繋ぎ材８ａを取り付けることができる。このため、正確に緩衝器台を設置することが可能になる。
【図面の簡単な説明】
【００１４】
【図１】この発明の実施の形態１におけるエレベータ緩衝器の支持装置の全体斜視図である。
【図２】この発明の実施の形態１における図１の要部詳細図である。
【図３】この発明の実施の形態２における図１の要部詳細図である。
【符号の説明】
【００１５】
１  ガイドレール固定部
２  ガイドレール
３  取付板
３ａ  ガイドレール取付面
４  プレート
５  緩衝器
６  固定台
６ａ  上面
７、８  連結手段
７ａ、８ａ  中央部繋ぎ材
７ｂ、８ｂ  端部繋ぎ材
９ａ、９ｂ  アンカーボルト
１０ａ、１０ｂ  固定穴
１１  目盛
１２ａ、１２ｂ  長穴
１３  固定具
【図１】
2005112488.tif 000003
【図２】
2005112488.tif 000004
【図３】
2005112488.tif 000005